(57)【要約】【課題】  ＡＶアンプにおいて、音質優先モードが設定されていることにより、コンテンツデータに映像データが含まれているが、ディスプレイ装置に映像が表示されないという問題を解決する。【解決手段】    コンテンツデータに映像データが含まれていると判断された場合、ユーザ操作によって音質優先モード（映像処理部をオフ状態にするモード）を設定不可能なように、表示手段に音質優先モードを表示させない。コンテンツデータに映像データが含まれていないと判断された場合、ユーザ操作によって音質優先モードを設定可能なように、表示手段に音声優先モードを表示させる。コンテンツデータに映像データが含まれていると判断された場合、音質優先モードが自動的に解除され、コンテンツデータに映像データが含まれていないと判断された場合、音質優先モードが自動的に設定される。【選択図】図５
2010219705.tif 000002
【特許請求の範囲】
【請求項１】
コンテンツデータに含まれる映像データに映像処理を実行する映像処理手段と、
コンテンツデータに含まれる音声データに音声処理を実行する音声処理手段と、
前記映像処理手段をオフ状態にする音質優先モードを含む、複数の音声モードの中からユーザ操作に応じて１つの音声モードを設定する音声モード設定手段と、
コンテンツデータに映像データが含まれているか否かを判断する判断手段とを備え、
コンテンツデータに映像データが含まれていると判断された場合、前記音声モード設定手段が、ユーザ操作によって音質優先モードを設定不可能な状態にし、
コンテンツデータに映像データが含まれていないと判断された場合、前記音声モード設定手段が、ユーザ操作によって音質優先モードを設定可能な状態にする、コンテンツ処理装置。
【請求項２】
設定可能な複数の音声モードをユーザ操作によって選択するために表示する表示手段をさらに備え、
コンテンツデータに映像データが含まれていると判断された場合、前記音声モード設定手段が、ユーザ操作によって音質優先モードを設定不可能なように、前記表示手段に音質優先モードを表示させず、
コンテンツデータに映像データが含まれていないと判断された場合、前記音声モード設定手段が、ユーザ操作によって音質優先モードを設定可能なように、前記表示手段に音声優先モードを表示させる、請求項１に記載のコンテンツ処理装置。
【請求項３】
コンテンツデータに映像データが含まれていると判断された場合、前記判断手段が、既に音質優先モードが設定されているか否かをさらに判断し、既に音質優先モードが設定されていると判断された場合に、前記音声モード設定手段が、音質優先モードの設定を解除する、請求項１または２に記載のコンテンツ処理装置。
【請求項４】
コンテンツデータに映像データが含まれていないと判断された場合、前記音声モード設定手段が、音質優先モードに設定する、請求項１〜３のいずれかに記載のコンテンツ処理装置。
【請求項５】
既に音質優先モードが設定されていると判断された場合に、前記音声モード設定手段が、音質優先モードの設定を解除し、音質優先モードを解除したことを記憶し、
コンテンツデータに映像データが含まれていないと判断された場合、前記判断手段が、音質優先モードを解除したことが記憶されているか否かをさらに判断し、音質優先モードを解除したことが記憶されている場合に、前記音声モード設定手段が音質優先モードに設定し、音質優先モードを解除したことが記憶されていない場合に、前記音声モード設定手段が音質優先モードに設定しない、請求項３に記載のコンテンツ処理装置。
【請求項６】
コンテンツデータに含まれる映像データに映像処理を実行する映像処理手段と、
コンテンツデータに含まれる音声データに音声処理を実行する音声処理手段と、
前記映像処理手段をオフ状態にする音質優先モードを含む、複数の音声モードの中からユーザ操作に応じて１つの音声モードを設定する音声モード設定手段と、
コンテンツデータに映像データが含まれているか否かを判断する判断手段とを備え、
コンテンツデータに映像データが含まれていると判断された場合、前記音声モード設定手段が音質優先モードを解除し、
コンテンツデータに映像データが含まれていないと判断された場合、前記音声モード設定手段が、音質優先モードを設定する、コンテンツ処理装置。
【請求項７】
請求項１〜６のいずれかに記載のコンテンツ処理装置の各手段をコンピュータに実行させる、コンテンツ処理プログラム。
【発明の詳細な説明】
【技術分野】
【０００１】
本発明は、コンテンツデータに処理を実行するコンテンツ処理装置に関する。
【背景技術】
【０００２】
ＨＤＭＩ（High Definition
Multimedia Interface）規格に準拠した、ＤＶＤプレーヤ、ＡＶアンプおよびディスプレイ装置が、ＨＤＭＩケーブルを介して接続されるシステムが使用されている。ＤＶＤプレーヤは、ＤＶＤディスクから映像データ及び音声データを再生し、再生された映像データ及び音声データをＡＶアンプに供給する。ＡＶアンプは、受信した音声データを音声処理部において音声処理を実行し、スピーカーに出力すると共に、受信した映像データを映像処理部において映像処理を実行して、ディスプレイ装置に出力する。ディスプレイ装置は、受信した映像データを表示する。
【０００３】
ＡＶアンプには複数の音声モード（例えばリスニングモードと呼ばれ、映画モード、ゲームモード、スポーツモード等）が設けられており、ユーザ操作によって１つの音声モードが選択可能になっている。ＡＶアンプは、選択された音声モードに対して予め設定されている音声処理（遅延処理、音量調整処理、イコライザ処理等）を音声データに実行する。
【０００４】
また、リスニングモードの１つとして、音質優先モード（ピュアオーディオモードともいう。）が設けられている。音質優先モードは、例えばＤＶＤプレーヤでＣＤ等の映像データを含まないコンテンツが再生される際にユーザ操作によって選択され、映像処理部に供給される電源電圧をオフ状態にし、映像処理部の動作を停止させることによって、音声データの音質をより向上させるモードである。
【０００５】
ここで、ユーザ操作によって音質優先モードが設定されている場合、ＤＶＤプレーヤでＤＶＤディスクを再生しているにもかかわらず、映像処理部が電源オフ状態にされているので、ディスプレイ装置に映像が表示されないという問題がある。また、ＤＶＤプレーヤにおいて、ＤＶＤ等の映像データを含むコンテンツデータと、ＣＤ等の映像データを含まないコンテンツデータとを交互に再生する場合には、ユーザは、ＤＶＤプレーヤで再生するディスクを交換するたびに、ＡＶアンプのリスニングモードを音質優先モードとそれ以外のモードとに切り換える必要が生じる。
【先行技術文献】
【特許文献】
【０００６】
【特許文献１】特開２００５−５７７１４号公報
【発明の概要】
【発明が解決しようとする課題】
【０００７】
本発明の目的は、音質優先モードが設定されていることにより、コンテンツデータに映像データが含まれているが、映像が表示されないという問題を解決するコンテンツ処理装置を提供することである。
【０００８】
本発明の別の目的は、ユーザの操作を要することなく、音質優先モード又はそれ以外のリスニングモードに自動的に切り換えることができるコンテンツ処理装置を提供することである。
【課題を解決するための手段】
【０００９】
本発明の好ましい実施形態によるコンテンツ処理装置は、コンテンツデータに含まれる映像データに映像処理を実行する映像処理手段と、コンテンツデータに含まれる音声データに音声処理を実行する音声処理手段と、前記映像処理手段をオフ状態にする音質優先モードを含む、複数の音声モードの中からユーザ操作に応じて１つの音声モードを設定する音声モード設定手段と、コンテンツデータに映像データが含まれているか否かを判断する判断手段とを備え、コンテンツデータに映像データが含まれていると判断された場合、前記音声モード設定手段が、ユーザ操作によって音質優先モードを設定不可能な状態にし、コンテンツデータに映像データが含まれていないと判断された場合、前記音声モード設定手段が、ユーザ操作によって音質優先モードを設定可能な状態にする。
【００１０】
コンテンツデータに映像データが含まれる場合に、音質優先モードが設定不可能な状態にされるので、ユーザ操作によって音質優先モードが設定されることがない。従って、コンテンツデータに映像データが含まれているにもかかわらず、映像処理手段がオフ状態にされて映像データが表示されないという問題を解決できる。
【００１１】
好ましい実施形態においては、設定可能な複数の音声モードをユーザ操作によって選択するために表示する表示手段をさらに備え、コンテンツデータに映像データが含まれていると判断された場合、前記音声モード設定手段が、ユーザ操作によって音質優先モードを設定不可能なように、前記表示手段に音質優先モードを表示させず、コンテンツデータに映像データが含まれていないと判断された場合、前記音声モード設定手段が、ユーザ操作によって音質優先モードを設定可能なように、前記表示手段に音声優先モードを表示させる。
【００１２】
コンテンツデータに映像データが含まれる場合に、音声モードを選択するリストの中に音質優先モードが表示されないので、ユーザ操作によって音質優先モードが設定されることがない。従って、コンテンツデータに映像データが含まれているにもかかわらず、映像処理手段がオフ状態にされて映像データが表示されないという問題を解決できる。
【００１３】
好ましい実施形態においては、コンテンツデータに映像データが含まれていると判断された場合、前記判断手段が、既に音質優先モードが設定されているか否かをさらに判断し、既に音質優先モードが設定されていると判断された場合に、前記音声モード設定手段が、音質優先モードの設定を解除する。
【００１４】
コンテンツデータに映像データが含まれ、かつ、既に音質優先モードが設定されている場合に、自動的に音質優先モードが解除される。従って、コンテンツデータに映像データが含まれているにもかかわらず、映像処理手段がオフ状態にされて映像データが表示されないという問題を解決できる。さらに、ユーザ操作によって音質優先モードから他の音声モードに変更する必要がない。
【００１５】
好ましい実施形態においては、コンテンツデータに映像データが含まれていないと判断された場合、前記音声モード設定手段が、音質優先モードに設定する。
【００１６】
コンテンツデータに映像データが含まれていない場合、自動的に音質優先モードに設定される。従って、ユーザ操作によって他の音声モードから音質優先モードに変更する必要がない。
【００１７】
好ましい実施形態においては、既に音質優先モードが設定されていると判断された場合に、前記音声モード設定手段が、音質優先モードの設定を解除し、音質優先モードを解除したことを記憶し、コンテンツデータに映像データが含まれていないと判断された場合、前記判断手段が、音質優先モードを解除したことが記憶されているか否かをさらに判断し、音質優先モードを解除したことが記憶されている場合に、前記音声モード設定手段が音質優先モードに設定し、音質優先モードを解除したことが記憶されていない場合に、前記音声モード設定手段が音質優先モードに設定しない。
【００１８】
この場合、音質優先モードを自動的に解除した場合のみ、コンテンツデータに映像データが含まれる際に、音質優先モードが自動的に設定される。従って、ユーザの意図で音質優先モードではなく他の音声モードに設定している場合に、自動的に音質優先モードに変更されることを防止することができる。
【００１９】
本発明の別の好ましい実施形態によるコンテンツ処理装置は、コンテンツデータに含まれる映像データに映像処理を実行する映像処理手段と、コンテンツデータに含まれる音声データに音声処理を実行する音声処理手段と、前記映像処理手段をオフ状態にする音質優先モードを含む、複数の音声モードの中からユーザ操作に応じて１つの音声モードを設定する音声モード設定手段と、コンテンツデータに映像データが含まれているか否かを判断する判断手段とを備え、コンテンツデータに映像データが含まれていると判断された場合、前記音声モード設定手段が音質優先モードを解除し、コンテンツデータに映像データが含まれていないと判断された場合、前記音声モード設定手段が、音質優先モードを設定する。
【００２０】
従って、ユーザ操作によって他の音声モードから音質優先モードに、又は、音質優先モードから他の音声モードに変更する必要がない。
【発明の効果】
【００２１】
音質優先モードが設定されていることによりコンテンツデータに映像データが含まれているが、映像が表示されないという問題を解決することができる。
【００２２】
また、ユーザの操作を要することなく、音質優先モード又はそれ以外の音声モードに自動的に切り換えることができる。
【発明を実施するための形態】
【００２３】
以下、本発明の好ましい実施形態によるＤＶＤプレーヤ、及び、ＡＶアンプ（コンテンツ処理装置）について、図面を参照して具体的に説明するが、本発明はこれらの実施形態には限定されない。
【００２４】
図１は、ＤＶＤプレーヤ１０及びＡＶアンプ２０の構成を示す概略ブロック図である。ＤＶＤプレーヤ１０及びＡＶアンプ２０は、ＨＤＭＩ（又はＤＶＩ、以下同様。）規格に準拠しており、ＨＤＭＩケーブルを介して相互に接続されている。本例において、コンテンツデータとは、映像データ（画像データの意味を含む、以下同様。）及び音声データの総称である。例えば、コンテンツデータには、ＤＶＤビデオディスクのように映像データ及び音声データを含むコンテンツデータと、ＣＤオーディオディスクのように音声データのみを含み、映像データを含まないコンテンツデータとが存在する。なお、コンテンツデータは、ディスクに記録されたものに限定されず、放送データやネットワーク経由で配信されるデータでもよい。
【００２５】
［ＤＶＤプレーヤ１０の構成］
ＤＶＤプレーヤ１０は、再生部１１と、ＨＤＭＩ送信部１３と、制御部１４と、操作表示部１５と、メモリ１６と、コネクタ部１７とを備える。
【００２６】
再生部１１は、ＤＶＤディスクに記録されている映像データ及び音声データをディスクから読み出して、ＨＤＭＩ送信部１３に供給する。再生部１１は、ＣＤディスクに記録されている音声データをディスクから読み出して、ＨＤＭＩ送信部１３に供給する。再生部１１は、再生されるコンテンツデータに映像データが含まれているか否かを検出し、映像データが含まれているか否かの情報を制御部１４に供給する。映像データが含まれているか否かを検出する代わりに、再生されるディスクの種別がＤＶＤディスクであるか、又は、ＣＤディスクであるかを判別して、映像データが含まれているか否かの情報を制御部１４に供給してもよい。
【００２７】
ＨＤＭＩ送信部１３は、供給された映像データ及び音声データを、制御部１４からのコマンドにより、ＨＤＭＩ規格のデータ（以下、単にＨＤＭＩデータという。）に変換する。ＨＤＭＩ送信部１３は、変換したＨＤＭＩデータを、コネクタ部１７を介して、ＡＶアンプ２０に送信する。ＨＤＭＩ送信部１３は、ＨＤＭＩデータを送受信するＴＭＤＳライン、及び、接続の有無を判断するためのホットプラグラインを介して、ＡＶアンプ２０のＨＤＭＩ受信部２１に接続される。
【００２８】
制御部１４は、ＤＶＤプレーヤ１０の各部を制御するものであり、例えば、マイクロコンピュータやＣＰＵ等である。制御部１４は、操作表示部１５からの操作入力または各部からの制御信号およびデータに基づいて各処理を実行する。制御部１４は、ＣＥＣラインを介してＡＶアンプ２０の制御部２３に接続され、制御部２３とコマンドを送受信する。
【００２９】
制御部１４は、再生されているコンテンツデータに映像データが含まれているか否かの情報を、再生部１１から受信する。制御部１４は、再生されているコンテンツデータに映像データが含まれていると判断した場合、ＣＥＣラインを介してＡＶアンプ２０の制御部２３に、再生されているコンテンツデータに映像データが含まれている旨の情報を送信する。制御部１４は、再生されているコンテンツデータに映像データが含まれていない場合、ＣＥＣラインを介してＡＶアンプ２０の制御部２３に、再生されているコンテンツデータに映像データが含まれていない旨の情報を送信する。
【００３０】
［ＡＶアンプ２０の構成］
ＡＶアンプ２０は、ＨＤＭＩ受信部２１と、ＨＤＭＩ送信部２２と、制御部２３と、操作表示部２４と、音声処理部２６と、コネクタ部２７Ａ、２７Ｂと、映像処理部２８と、電源回路２９とを有している。
【００３１】
ＨＤＭＩ受信部２１は、ＤＶＤプレーヤ１０から送信されたＨＤＭＩデータを受信して、受信したＨＤＭＩデータから元の映像データ（ＨＤＭＩ変換前の映像データ）を生成して、映像処理部２８に供給する。また、ＨＤＭＩ受信部２１は、受信したＨＤＭＩデータから元の音声データ生成して、音声処理部２６に供給する。
【００３２】
映像処理部２８は、ＨＤＭＩ受信部２１から供給された映像データに対して映像処理（例えば、明るさやコントラスト等の画質調整処理、解像度変換処理、及び、アスペクト比変換処理等）を実行し、ＨＤＭＩ送信部２２に供給する。映像処理部２８は、電源回路２９から電源電圧が供給されることによって動作し、後述する音質優先モードが選択されると、制御部２３によって電源電圧の供給がオフ状態にされ、動作を停止する。
【００３３】
ＨＤＭＩ送信部２２は、映像処理部２８から供給された映像データ、及び、音声処理部２６から供給された音声データを、ＨＤＭＩデータに変換して、コネクタ部２７Ｂを介して、図示しないディスプレイ装置に送信する。
【００３４】
音声処理部２６は、ＨＤＭＩ受信部２１から供給された音声データに対して音声処理（信号処理、遅延処理、イコライザ処理、音量調整処理、増幅処理、及び、Ｄ／Ａ変換等）を実行し、外部に接続されたスピーカー６０に音声信号を供給する。また、音声処理部２６は、音声データをＨＤＭＩ送信部２２に供給する。
【００３５】
ＡＶアンプ２０には複数の音声モード（リスニングモード）が設けられており、ユーザ操作によって、１つの音声モードが選択可能になっている。つまり、図２に示すリスニングモードリストに含まれている音声モードが操作表示部２４に表示され、ユーザ操作によって１つの音声モードが選択される。音声処理部２６は、選択された音声モードに対して予め設定されている音声処理を音声データに対して実行する。
【００３６】
音声モードの１つとして音質優先モード（ピュアオーディオモードともいう。）が設けられている。音質優先モードは、映像処理部２８に供給される電源電圧をオフ状態にすることにより、映像処理部２８の処理を停止させる（映像処理部２８をオフ状態にする）。これにより、映像処理部２８の処理に起因する音声データの音質低下（例えば、Ｓ／Ｎ比の悪化）を防止することができる。
【００３７】
制御部２３は、ＡＶアンプ２０の各部を制御するものであり、例えば、マイクロコンピュータやＣＰＵ等である。制御部２３は、操作表示部２４からの操作入力または各部からの制御信号およびデータに基づいて各処理を実行する。
【００３８】
制御部２３は、ユーザ操作によって音声モードが選択されたとき、選択された音声モードに設定し（音声モードを設定するとは音声モードをメモリ２３ａに記憶することをいう。）、設定された音声モードに基づいて音声データに音声処理を実行するように音声処理部２６に指示する。また、制御部２３は、音声モードに音質優先モードが設定されたとき、映像処理部２８への電源電圧の供給を停止し、映像処理部２８の動作を停止するように、電源回路２９及び映像処理部２８を制御する。
【００３９】
制御部２３は、ＣＥＣラインを介してＤＶＤプレーヤ１０の制御部１４に接続され、制御部１４とコマンドを送受信する。制御部２３は、ＤＶＤプレーヤ１０の制御部１４から、再生されているコンテンツデータに映像データが含まれているか否かの情報を受信する。
【００４０】
制御部２３は、再生されるコンテンツデータに映像データが含まれると判断すると、図２（ｂ）に示すように、例えば、リスニングモードリストから音質優先モードを削除することによって、ユーザ操作によって音質優先モードが設定不可能な状態にする。つまり、操作表示部２４に音質優先モードが表示されなくなり、ユーザ操作によって音質優先モードが選択できなくなる。制御部２３は、既にユーザ操作によって音質優先モードが設定されている場合には、音質優先モードの設定を自動的に解除する。さらに、必要に応じて、制御部２３は、他の音声モードを自動的に設定する。これにより、コンテンツデータに映像データが含まれている場合に、音質優先モードが設定されることがなく、ディスプレイ装置に映像が表示されないという問題を解決できる。
【００４１】
制御部２３は、再生されるコンテンツデータに映像データが含まれていないと判断すると、図２（ａ）に示すように、例えば、リスニングモードリストに音質優先モードを含めることによって、ユーザ操作によって音質優先モードが設定可能な状態にする。つまり、操作表示部２４に音質優先モードが表示されるようになり、ユーザ操作によって音質優先モードを選択できるようになる。制御部２３は、ユーザ操作によって音質優先モードが解除されている（又は他の音声モードが設定されている）場合に、音質優先モードに自動的に設定する。これにより、コンテンツデータに映像データが含まれていない場合に、音質優先モードが自動的に設定され、又は、設定可能になり、音質の高い音声を再生することができる。
【００４２】
［動作］
図３は、ＤＶＤプレーヤ１０の制御部１４の処理を示すフローチャートである。制御部１４は、再生部１１にディスクが挿入されたか否かを判断する（Ｓ１）。ディスクが挿入されたとき（Ｓ１でＹＥＳ）、制御部１４は、再生部１１から供給される情報に基づいて、コンテンツデータに映像データが含まれているか否かを判断する（Ｓ２，Ｓ３）。
【００４３】
コンテンツデータに映像データが含まれている場合（Ｓ３でＹＥＳ）、制御部１４は、ＣＥＣラインを介して、コンテンツデータに映像デーが含まれている旨の情報をＡＶアンプ２０の制御部２３に送信する（Ｓ４）。一方、コンテンツデータに映像データが含まれていない場合（Ｓ３でＮＯ）、制御部１４は、ＣＥＣラインを介して、コンテンツデータに映像データが含まれていない旨の情報をＡＶアンプ２０の制御部２３に送信する（Ｓ５）。
【００４４】
図４は、ＡＶアンプ２０の制御部２３の処理を示すフローチャートである。制御部２３は、ＤＶＤプレーヤ１０の制御部１４から、コンテンツデータに映像データが含まれているか否かの情報を受信したか否かを判断している（Ｓ１１）。受信した場合（Ｓ１１でＹＥＳ）、制御部２３は、受信した情報に基づいて、再生されているコンテンツデータに映像データが含まれているか否かを判断する（Ｓ１２）。
【００４５】
コンテンツデータに映像データが含まれていない場合（Ｓ１２でＮＯ）、つまり、コンテンツデータに音声データのみが含まれる場合、制御部２３は、図２（ａ）に示すように、リスニングモードリストに音質優先モードを含めることによって、ユーザ操作によって音質優先モードを設定可能な状態にする（Ｓ１３）。従って、ユーザが音質優先モードを希望する場合には、図２（ａ）に示すリスニングモードリストから音質優先モードを選択することによって、音質優先モードに設定することができる。
【００４６】
コンテンツデータに映像データが含まれる場合（Ｓ１２でＹＥＳ）、制御部２３は、現在既にユーザ操作によって音質優先モードが設定されているか否かを判断する（Ｓ１４）。音質優先モードが設定されていない場合（Ｓ１４でＮＯ）、制御部２３は、図２（ｂ）に示すように、リスニングモードリストから音質優先モードを削除することにより、ユーザ操作によって音質優先モードが設定不可能な状態にする（Ｓ１５）。従って、ユーザ操作によって誤って音質優先モードが設定されることがないので、コンテンツデータに映像データが含まれているにもかかわらず、映像が表示されないという問題を防止できる。
【００４７】
音質優先モードが設定されている場合（Ｓ１４でＹＥＳ）、制御部２３は、図２（ｂ）に示すように、リスニングモードリストから音質優先モードを削除することにより、ユーザ操作によって音質優先モードが設定不可能な状態にする（Ｓ１６）。さらに、制御部２３は、音質優先モードの設定を自動的に解除し、必要に応じて、映画モード等の他の音声モードを自動的に設定する（Ｓ１６）。従って、コンテンツデータに映像データが含まれているにもかかわらず、音質優先モードが設定された状態が維持されて、映像が表示されないという問題を防止できる。また、ユーザ操作によって、音質優先モードの設定を解除する必要がない。
【００４８】
なお、図４のフローチャートにおいて、Ｓ１４，Ｓ１６の処理を省いた処理も実現することができる。
【００４９】
図５は、別の実施形態による制御部２３の処理を示すフローチャートである。図５の処理では、図４の処理と比較してＳ１３がＳ２３に変更されている点が異なる。制御部２３は、コンテンツデータに映像データが含まれていないと判断した場合（Ｓ１２でＮＯ）、音質優先モードをリスニングモードリストに含めることに加え、音質優先モードを自動的に設定する（Ｓ２３）。すなわち、映画モード等の他のリスニングモードが設定されている場合には、コンテンツデータに映像データが含まれなくなると、自動的に音質優先モードに変更され、音質の高い音声を再生することができる。従って、ユーザ操作によって、音質優先モードを設定する必要がない。
【００５０】
図６は、さらに別の実施形態による制御部２３の処理を示すフローチャートである。図６の処理では、図４の処理と比較してＳ１３に替えてＳ３１〜Ｓ３３が追加されている点が異なる。コンテンツデータに映像データが含まれており（Ｓ１２でＹＥＳ）、かつ、音質優先モードが設定されている場合（Ｓ１４でＹＥＳ）、制御部２３は、音質優先モードをリスニングモードから削除し、音質優先モードを解除した後（Ｓ１６）、音質優先モードをユーザ操作ではなく自動的に解除したことを記憶する（メモリ内のフラグをセットする）（Ｓ３１）。
【００５１】
一方、コンテンツデータに映像データが含まれていない場合（Ｓ１２でＮＯ）、制御部２３は、音質優先モードをリスニングモードリストに含めた後（Ｓ１３）、上記フラグがセットされているか否かを判断する（Ｓ３２）。つまり、音質優先モードを自動的に解除したことを記憶しているか否かが判断される。フラグがセットされていない場合には（Ｓ３２でＮＯ）、音質優先モードは自動的に解除されていないので、音質優先モードに自動的に設定することなく、処理を終了する。
【００５２】
一方、フラグがセットされている場合（Ｓ３２でＹＥＳ）、Ｓ１６にて音質優先モードが自動的に解除されているので、制御部２３は、自動的に音質優先モードに設定する（Ｓ３３）。その後、制御部２３は、フラグをリセットすることにより、音質優先モードが自動的に解除されたことの記憶を消去する。従って、Ｓ１６で音質優先モードが自動的に解除された場合のみ、Ｓ３３で音質優先モードが自動的に設定されるので、ユーザが、コンテンツデータに映像データが含まれていない場合にも音質優先モード以外の音声モードでの視聴を希望する場合には、音質優先モードが自動的に設定されることを防止することができる。
【００５３】
図７は、さらに別の実施形態による制御部２３の処理を示すフローチャートである。制御部２３は、コンテンツデータに映像データが含まれない場合（Ｓ１２でＮＯ）、音質優先モードに自動的に設定する（Ｓ４１）。一方、制御部２３は、コンテンツデータに映像データが含まれる場合（Ｓ１２でＹＥＳ）、音質優先モードを自動的に解除する（Ｓ４２）。従って、ユーザは、コンテンツデータに映像データが含まれているか否かによって音声モードをその都度変更する必要がない。
【００５４】
以上、本発明の好ましい実施形態を説明したが、本発明はこれらの実施形態には限定されない。音質優先モードを設定不可能にする方法として、音質優先モードを表示しないのではなく、音質優先モードをグレー表示したり、音質優先モードが選択されたときに音質優先モードに設定できない旨の告知を表示してもよい。ディスプレイ装置が上記のＡＶアンプの機能を備えていてもよく、この場合、ＤＶＤプレーヤがディスプレイ装置に直接接続される。また、ＡＶアンプが上記のＤＶＤプレーヤの機能を備える場合には、再生部１１から、コンテンツデータに映像データが含まれるか否かの情報がＣＥＣライン経由ではなく内部バス経由で送信される。また、ＤＶＤプレーヤとＡＶアンプとがＣＥＣラインの代わりに他の通信ラインを介して情報を送受信してもよい。また、ＤＶＤプレーヤ及びＡＶアンプの上記動作をコンピュータに実行させるためのプログラムおよびこれを記録した記録媒体という形態で提供されてもよい。
【産業上の利用可能性】
【００５５】
本発明は、ＤＶＤプレーヤ、ＡＶアンプ及びディスプレイ装置等に好適に採用され得る。
【図面の簡単な説明】
【００５６】
【図１】本発明の好ましい実施形態によるＤＶＤプレーヤ１０及びＡＶアンプ２０の構成を示すブロック図である。
【図２】リスリングモードリストを示す図である。
【図３】ＤＶＤプレーヤ１０の動作を説明するフローチャートである。
【図４】ＡＶアンプ２０の動作を説明するフローチャートである。
【図５】ＡＶアンプ２０の動作を説明するフローチャートである。
【図６】ＡＶアンプ２０の動作を説明するフローチャートである。
【図７】ＡＶアンプ２０の動作を説明するフローチャートである。
【符号の説明】
【００５７】
１０            ＤＶＤプレーヤ
１１            再生部
１３            ＨＤＭＩ送信部
１４            制御部
２０            ＡＶアンプ
２１            ＨＤＭＩ受信部
２２            ＨＤＭＩ送信部
２３            制御部
２６            音声処理部
２８            映像処理部
【図１】
2010219705.tif 000003
【図２】
2010219705.tif 000004
【図３】
2010219705.tif 000005
【図４】
2010219705.tif 000006
【図５】
2010219705.tif 000007
【図６】
2010219705.tif 000008
【図７】
2010219705.tif 000009